(57)【要約】【課題】光源使用量が小さく、省エネルギー、明度均一性のあるキーボードバックライト構造を提供する。【解決手段】回路板の一表面側に複数の弾片を設け、各弾片間には必要に応じて複数の発光ダイオードを配置し、光透過性のあるキーボードは、弾片を備えた回路板の一表面を覆い、キーボード上には、回路板の各弾片に対応する複数のプッシュボタンを設け、光反射片は、回路板、発光ダイオード間に設け、光反射片上には、各発光ダイオードに対応している複数の容置孔洞を設け、光反射片を回路板上に貼合、各容置孔洞に各発光ダイオードを入れ、光透過性のある導光板をキーボード、光反射片間に設けるが、内設した複数のプッシュボタン孔洞と容置孔洞は、キーボードのプッシュボタン及び各発光ダイオードに対応しており、プッシュボタン孔洞の周囲縁には貫通孔を配列した貫通孔区を繞設する。【選択図】図５
0003136144.tif 000002
【実用新案登録請求の範囲】
【請求項１】
一つの回路板、一つの光透過性のあるキーボード、一つの光透過性のある導光板により構成される、キーボードのバックライト改良構造において、
該回路板は、その一表面側に複数の弾片を設け、各弾片間には必要に応じて複数の発光ダイオードを配置し、
該光透過性のあるキーボードは、弾片を備えた該回路板の一方側を覆い、該キーボード上には、それぞれが回路板の各弾片に対応している複数のプッシュボタンを設け、
該光透過性のある導光板は、該キーボード、回路板間に設け、その内設する複数のプッシュボタン孔洞と容置孔洞はそれぞれ、キーボードのプッシュボタン及び各発光ダイオードに対応しており、該プッシュボタン孔洞の周囲縁には貫通孔が配列した貫通孔区を繞設することを特徴とするキーボードのバックライト改良構造。
【請求項２】
前記各貫通孔区において、発光ダイオードに近い一方側の貫通孔は少なくし、発光ダイオードから離れたもう一方側の貫通孔は多くすることを特徴とする請求項１に記載のキーボードのバックライト改良構造。
【請求項３】
前記各貫通孔区において、発光ダイオードに近い一方側の貫通孔の配列を比較的密集させ、発光ダイオードから遠いもう一方側の配列を比較的粗くすることを特徴とする請求項１に記載のキーボードのバックライト改良構造。
【請求項４】
前記該回路板、導光板間には一つの光反射片を設け、該光反射片上には、複数の容置孔洞を設けて、対応する各発光ダイオードを入れることを特徴とする請求項１に記載のキーボードのバックライト改良構造。
【請求項５】
前記該貫通孔区の幅は３０ｍｍより小さいことを特徴とする請求項１に記載のキーボードのバックライト改良構造。
【考案の詳細な説明】
【技術分野】
【０００１】
本考案は、キーボードのバックライト改良構造に関するもので、特に、光源使用量が小さく、省エネルギー、明度均一性のあるキーボードバックライト構造を提供する。
【背景技術】
【０００２】
現代の３Ｃ商品構造には、各種多様なプッシュボタンキーボードの応用形態が見られるが、そのキーボードがいかなる構造であろうと、全てに、光線不足時の照明光源となる適当なバックライト構造が必要とされ、また、公知のプッシュボタンキーボードのバックライト構造の伝統的なものには、図１、図２のようなものがある。それは、一つの回路板１の一表面側に分離した複数の弾片１１を設け、各弾片１１間には必要に応じて複数の発光ダイオード３を設置、一つの光透過性のあるキーボード２０は、該回路板１の弾片１１の一側面上方に被せ、該キーボード２０上には、それぞれが回路板１の各弾片１１に対応する複数のプッシュボタン２０１を設け、各プッシュボタン２０１間には、それぞれが各発光ダイオード３に対応する複数の凹部２０２を設け、一つの光反射片４０は、該回路板１とキーボード２０間に設け、該光反射片４０上には、それぞれが各発光ダイオード３の位置に対応している複数の容置孔洞４０１を設けており、該キーボード２０と回路板１で光反射片４０を挟むと、複数の発光ダイオード３は、光反射片４０の容置孔洞４０１及びキーボード２０の凹部２０２内に置かれ、該プッシュボタン２０１を押圧した場合、光反射片４０を経由して、対応する回路板１上の弾片１１に接触、また、該発光ダイオード３が放つ光線は、周囲縁の光反射片４０を経由して上方向に反射されキーボード２０を通過、これにより、キーボード２０のバックライト構造が形成される。
【０００３】
しかしながら、この種の構造は、光反射片４０がただ単純に光線を反射するだけであり、光線の均一性及び拡散効果を有しておらず、よって、そのバックライトの全体効果においては、一部位置（発光ダイオード３設置箇所）の周辺縁が高明度、その他箇所の明度が低い現象が発生し、明度不均一現象は応用上の一大欠点となっている。
【０００４】
また、図３、図４に示した構造においては、キーボード２を光透過性のある回路板１０の一表面側に直接貼設し、並びに、キーボード２に近い該回路板１０上の一側面には、キーボード２の各プッシュボタン２１に対応する複数の弾片１０１を設け、また、該回路板１０のもう一方の表面には、複数の発光ダイオード３を設け、一つの導光板５０を該回路板１０の発光ダイオード３のある側に貼設、該導光板５０上には、各発光ダイオード３の位置に対応している複数の容置孔洞５０１と、回路板１０の弾片１０１に対応する複数の印刷区５０２を設け、最後に、一つの光反射片４００で導光板５０を覆うことにより、複数の発光ダイオード３を、導光板５０の容置孔洞５０１内に収めることができ、該プッシュボタン２１を押圧した場合、対応する回路板１０上の弾片１１に直接接触する。また、発光ダイオード３が発する光線の一部分は、上方向の回路板１０、キーボード２を通過し、その他の光線は、下方向の光反射片４００によって反射され、更に導光板５０を経由して均一的に拡散、最後に、上方向の回路板１０、キーボード２を通過することにより完全なバックライト構造が形成される。一部光線が導光板５０を経由して均一的に拡散することにより、バックライト全体には、均一状態が生まれる。
【０００５】
しかしながら、この種の構造は、発光ダイオード３の光線が回路板１０を通過して初めて、キーボード２に至りバックライトとなるものであり、よって、回路板１０の隔たりがバックライト全体の光線明度を低下し、発光ダイオード３の使用量及びそのエネルギー消費を低減させることができず、応用においては改善すべき点がまだ残されている。
【０００６】
公知のキーボードバックライト構造における上述した欠点を鑑み、考案人は、これらの欠点を改善すべく研究を進め、ついに本考案の誕生となった。
【考案の開示】
【考案が解決しようとする課題】
【０００７】
本考案のキーボードのバックライト改良構造は、公知のキーボードのバックライト構造の、光源使用量が大きく、エネルギー高消耗、明度が不均一な点を解決する。
【課題を解決するための手段】
【０００８】
本考案の主な目的は、プッシュボタン周辺縁に良好な明度を持たせ、バックライト全体に均一性のある照明効果を備え、バックライト品質を向上させることができるキーボードのバックライト改良構造の提供にある。
【０００９】
本考案のもう一つの目的は、効果的にバックライト光源のエネルギー消耗を低減し、コストダウンできるキーボードのバックライト改良構造の提供にある。
【００１０】
本考案は、上述した目的及び効果を達成する為に採用した技術手段には、一つの回路板と一つの光透過性のあるキーボードと一つの光透過性のある導光板を含んでいる。
【００１１】
該回路板は、一表面側に複数の弾片を設け、且つ、各弾片間に必要に応じて複数の発光ダイオードを設けており、該光透過性のあるキーボードは、弾片を備えた該回路板の一方面を覆い、該キーボード上には、それぞれ回路板の各弾片に対応する複数のプッシュボタンを設けており、該光透過性のある導光板は、キーボードと回路板間に設け、それに内設した複数のプッシュボタン孔洞と容置孔洞はそれぞれ、キーボードのプッシュボタン及び各発光ダイオードに対応しており、該プッシュボタン孔洞の周辺縁には貫通孔を配列した貫通孔区を繞設する。
【００１２】
本考案の詳細構造、応用原理、作用と効果については、下記に添付した図を参照した説明によって完全に理解することができる。
【考案の効果】
【００１３】
以上説明したように、本考案のキーボードのバックライト改良構造は、光源使用量が小さく、省エネルギー、明度均一性を特徴とする。
【考案を実施するための最良の形態】
【００１４】
図１から図４を参照として、公知の各種キーボードのバックライト構造の主要構成、及びその欠点は前述したとおりである故、ここでは更なる説明を加えないものとする。
【００１５】
図５は、本考案の構造分解図であり、図６、図７の組合せ見取図及びその断面図を参考にすると、本考案が主に次のものにより構成されていることがはっきりわかる。それは、回路板１、キーボード２、発光ダイオード３、光反射片４、及び導光板５であり、その内、該回路板１の一表面側には、分離した複数の弾片１１を設け、且つ、複数の発光ダイオード３は、各弾片１１間の適当位置に配置され、光透過性のあるキーボード２上には、それぞれが回路板１の各弾片１１に対応している複数のプッシュボタン２１を設け、光反射片４上には、各発光ダイオード３に対応している複数の容置孔洞４１を設けて、該光反射片４を回路板１上に貼合し、並びに、各容置孔洞４１には各発光ダイオード３を入れ、導光板５は、光透過性のある材質によって作成し、該キーボード２と光反射片４の間に設けてあり、該導光板５と光反射片４を重ね合わせた後の厚さが、キーボード２のプッシュボタン２１の回路板１の弾片１１への接触動作に影響することを考慮して、導光板５上には、それぞれがキーボード２のプッシュボタン２１に対応する複数のプッシュボタン孔洞５１を設けて、キーボード２のプッシュボタン２１が光反射片４を通して回路板１の弾片１１を押すのを助けており、また、該プッシュボタン孔洞５１周囲縁には、貫通孔区５２を繞設、該貫通孔区５２は、貫通孔の配列により形成されており、その幅は３０ｍｍより小さく、且つ、各貫通孔の発光ダイオード３に近い側の配列は粗くしてあり、発光ダイオード３から遠い側の配列は、比較的密になっている。
【００１６】
使用時には、該プッシュボタン２１を押圧すると、それは導光板５のプッシュボタン孔洞５１を経て、光反射片４を通り、対応している回路板１上の弾片１１を押圧して導通し、該発光ダイオード３が発する光線は、容置孔洞５３の内周囲縁から導光板５に進入し、並びに、貫通孔区５２の各貫通孔内で屈折、且つ、その下方向に屈折した光線は、光反射片４を経て、更に上方向に反射され、よって、該貫通孔区５２の各貫通孔箇所は良好な屈折、反射を備えたものとなる。
【００１７】
また、発光ダイオード３に近い箇所の貫通孔区５２の貫通孔は数量を少なくし（間隔をあけた配列）、また、発光ダイオード３から離れた側の貫通孔は、数量を多くし（密集配列）、これにより、プッシュボタン２１には良好な照明効果と、均一性のあるバックライト品質を持たせることができる。
【００１８】
本考案に関する上述の構造において、導光板５、光反射片４は、キーボード２の底側に直接設けてある故、極めて低いエネルギー消費によって均一性のあるバックライトとなり、例えば、PDA、PDAフォーン、室内電話、携帯電話、GPS PDA 、PURE GPS、プリンタ、コピー機、ファックス機、ノートブックパソコン、パソコン、言語翻訳機、ゲーム機、現金引出機、切符販売機、リモコン等のような各種3C商品、もしくは、例えば、クーラーのパネルボード、自動車の音響操作パネル、冷蔵庫やその他の操作パネル等のような各種4C商品にも広く応用することができる。
【００１９】
上述したとおり、本考案のキーボードのバックライト改良構造は、低コスト、省エネ、明度均一性の効果を確実に備え、産業上における利用性、新規性及び進歩性を有するものである。
【図面の簡単な説明】
【００２０】
【図１】公知のキーボードのバックライト構造分解図である。
【図２】図１の平面組合せ断面図である。
【図３】もう一つの公知のプッシュボタンキーボードのバックライト構造分解図である。
【図４】図３の平面組合せ断面図である。
【図５】本考案の構造分解図である。
【図６】本考案の組合せ見取図である。
【図７】図６のＡ−Ａ断面図である。
【符号の説明】
【００２１】
１、１０  回路板
１１、１０１  弾片
２、２０  キーボード
２１、２０１  プッシュボタン
２０２  凹部
３  発光ダイオード
４、４０、４００  光反射片
４１、４０１、５０１、５３  容置孔洞
５、５０  導光板
５１  プッシュボタン孔洞
５２  貫通孔区
５０２  印刷区
【図１】
0003136144.tif 000003
【図２】
0003136144.tif 000004
【図３】
0003136144.tif 000005
【図４】
0003136144.tif 000006
【図５】
0003136144.tif 000007
【図６】
0003136144.tif 000008
【図７】
0003136144.tif 000009
【手続補正書】
【提出日】平成19年8月10日(2007.8.10)
【手続補正１】
【補正対象書類名】実用新案登録請求の範囲
【補正対象項目名】全文
【補正方法】変更
【補正の内容】
【実用新案登録請求の範囲】
【請求項１】
一つの回路板、一つの光透過性のあるキーボード、一つの光透過性のある導光板により構成される、キーボードのバックライト改良構造において、
該回路板は、その一表面側に複数の弾片を設け、各弾片間には必要に応じて複数の発光ダイオードを配置し、
該光透過性のあるキーボードは、弾片を備えた該回路板の一方側を覆い、該キーボード上には、それぞれが回路板の各弾片に対応している複数のプッシュボタンを設け、
該光透過性のある導光板は、該キーボード、回路板間に設け、その内設する複数のプッシュボタン孔洞と容置孔洞はそれぞれ、キーボードのプッシュボタン及び各発光ダイオードに対応しており、該プッシュボタン孔洞の周囲縁には貫通孔が配列した貫通孔区を設けることを特徴とするキーボードのバックライト改良構造。
【請求項２】
前記各貫通孔区において、発光ダイオードに近い一方側の貫通孔は少なくし、発光ダイオードから離れたもう一方側の貫通孔は多くすることを特徴とする請求項１に記載のキーボードのバックライト改良構造。
【請求項３】
前記各貫通孔区において、発光ダイオードに近い一方側の貫通孔の配列を比較的密集させ、発光ダイオードから遠いもう一方側の配列を比較的粗くすることを特徴とする請求項１に記載のキーボードのバックライト改良構造。
【請求項４】
前記該回路板、導光板間には一つの光反射片を設け、該光反射片上には、複数の容置孔洞を設けて、対応する各発光ダイオードを入れることを特徴とする請求項１に記載のキーボードのバックライト改良構造。
【請求項５】
前記該貫通孔区の幅は３０ｍｍより小さいことを特徴とする請求項１に記載のキーボードのバックライト改良構造。